(57)【要約】  本発明は同期方法及び装置を提供し、ＵＥが同期ソースである場合の同期案を決定する。本発明に係る同期方法は、複数ノードの同期信号を受信した場合、前記複数ノードの同期プライオリティを決定するステップと、前記複数ノードの同期プライオリティに基づき、１つノードの同期信号を選出して同期を行うステップとを備える。【選択図】図1
2019505127.tif 000002
【特許請求の範囲】
【請求項１】
複数ノードの同期信号を受信した場合、前記複数ノードの同期プライオリティを決定するステップと、
前記複数ノードの同期プライオリティに基づき、１つノードの同期信号を選出して同期を行うステップと、を備えることを特徴とする同期方法。
【請求項２】
前記複数ノードの同期プライオリティに基づき、１つノードの同期信号を選出して同期を行うステップは、
前記複数ノードの同期プライオリティが異なる場合、同期プライオリティ最大のノードの同期信号を選定して同期を行うことを特徴とする請求項１に記載の同期方法。
【請求項３】
前記同期プライオリティ最大のノードの同期信号の電力は所定の閾値より大きいことを特徴とする請求項２に記載の同期方法。
【請求項４】
前記複数ノードの同期プライオリティに基づき、１つノードの同期信号を選出して同期を行うステップは、
前記複数ノードの同期プライオリティが同様である場合、最強信号のノードの同期信号を選定して同期を行うことを特徴とする請求項１に記載の同期方法。
【請求項５】
各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードであることを特徴とする請求項１に記載の同期方法。
【請求項６】
ＧＮＳＳの同期信号を受信した場合、前記ＧＮＳＳの同期信号を直接に用いて同期を行うステップと、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行うステップと、をさらに備えることを特徴とする請求項１に記載の同期方法。
【請求項７】
同期信号を受信できない場合、局部発振器を独立な同期ソースとすることを特徴とする請求項１から６までのいずれか１項に記載の同期方法。
【請求項８】
複数ノードの同期信号を受信した場合、前記複数ノードの同期プライオリティを決定する第１ユニットと、
前記複数ノードの同期プライオリティに基づき、１つノードの同期信号を選出して同期を行う第２ユニットと、を備えることを特徴とする同期装置。
【請求項９】
前記第２ユニットは、
前記複数ノードの同期プライオリティが異なる場合、同期プライオリティ最大のノードの同期信号を選定して同期を行うことを特徴とする請求項８に記載の同期装置。
【請求項１０】
前記同期プライオリティ最大のノードの同期信号の電力は所定の閾値より大きいことを特徴とする請求項９に記載の同期装置。
【請求項１１】
前記第２ユニットは、前記複数ノードの同期プライオリティが同様である場合、最強信号のノードの同期信号を選定して同期を行うことを特徴とする請求項８に記載の同期装置。
【請求項１２】
各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードであることを特徴とする請求項８に記載の同期装置。
【請求項１３】
前記第２ユニットは、
ＧＮＳＳの同期信号を受信した場合、前記ＧＮＳＳの同期信号を直接に用いて同期を行い、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行うことを特徴とする請求項８に記載の同期装置。
【請求項１４】
前記第２ユニットは、
同期信号を受信できない場合、局部発振器を独立な同期ソースとすることを特徴とする請求項８から１３までのいずれか１項に記載の同期装置。
【請求項１５】
メモリに格納されたプログラムを読み出すプロセッサを備え、
前記プロセッサは、送受信機により複数ノードの同期信号を受信した場合、前記複数ノードの同期プライオリティを決定し、
前記複数ノードの同期プライオリティに基づき、１つノードの同期信号を選出して同期を行うことを特徴とする同期装置。
【請求項１６】
前記プロセッサは、
前記複数ノードの同期プライオリティが異なる場合、同期プライオリティ最大のノードの同期信号を選定して同期を行うことを特徴とする請求項１５に記載の同期装置。
【請求項１７】
前記同期プライオリティ最大のノードの同期信号の電力は所定の閾値より大きいことを特徴とする請求項１６に記載の同期装置。
【請求項１８】
前記プロセッサは、
前記複数ノードの同期プライオリティが同様である場合、最強信号のノードの同期信号を選定して同期を行うことを特徴とする請求項１５に記載の同期装置。
【請求項１９】
各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードであることを特徴とする請求項１５に記載の同期装置。
【請求項２０】
前記プロセッサは、
ＧＮＳＳの同期信号を受信した場合、前記ＧＮＳＳの同期信号を直接に用いて同期を行い、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行うことを特徴とする請求項１５に記載の同期装置。
【請求項２１】
前記プロセッサは、同期信号を受信できない場合、局部発振器を独立な同期ソースとすることを特徴とする請求項１５から２０までのいずれか１項に記載の同期装置。
【発明の詳細な説明】
【技術分野】
【０００１】
本発明は、通信技術分野に関し、特に同期方法及び装置に関する。
【背景技術】
【０００２】
ＬＴＥ Ｄ２Ｄにおいて、ＵＥ（Ｕｓｅｒ Ｅｑｕｉｐｍｅｎｔ）を同期ソースとせず、システムにおいて、ｅＮＢ（ｅｖｏｌｖｅｄ Ｎｏｄｅ Ｂ）を同期ソースとする。同期プライオリティは３つの順位に分けれら、プライオリティ高低順で、それぞれがカバレッジエリア内、カバレッジエリアの一部、カバレッジエリア外である。
【０００３】
カバレッジエリア外の場合、さらに３つに分けられる。
【０００４】
カバレッジエリア外ノードのＳｙｎｃｒｅｆ（Ｓｙｎｃｈｒｏｎｉｓａｔｉｏｎ ｒｅｆｅｒｅｎｃｅ，同期リファレンス）のＵＥがカバレッジエリアの一部ノードである。
【０００５】
カバレッジエリア外ノードのＳｙｎｃｒｅｆのＵＥがカバレッジエリアの一部のカバレッジエリア外ノードではない。
【０００６】
カバレッジエリア外ノードにいかなるＳｙｎｃｒｅｆ ＵＥが選択されておらず、独立的な同期ソースである。
【０００７】
また、ＬＴＥ Ｖ２Ｘ（Ｖｅｈｉｃｌｅ−ｔｏ−Ｅｖｅｒｙｔｈｉｎｇ）システムにおいて、車両ノードがＧＮＳＳ（Ｇｌｏｂａｌ Ｎａｖｉｇａｔｉｏｎ Ｓａｔｅｌｌｉｔｅ Ｓｙｓｔｅｍ）またはＧＮＳＳ−ｅｑｕｉｖａｌｅｎｔ信号を直接に受信できるため、直接にＧＮＳＳ信号を取得する車両ノードは、ＳＬＳＳ（ＳｉｄｅＬｉｎｋ Ｓｙｎｃｈｒｏｎｉｓａｔｉｏｎ Ｓｉｇｎａｌ）同期ソースとしてＳＬＳＳ及び同期設定情報を伝送することができる。
【０００８】
ＬＴＥ Ｖ２Ｘシステムにおいて、２タイプの同期ソースがあり、ＧＮＳＳまたはＧＮＳＳ−ｅｑｕｉｖａｌｅｎｔ信号を直接に取得する車両ノード、及びＧＮＳＳまたはＧＮＳＳ−ｅｑｕｉｖａｌｅｎｔから同期信号を取得するｅＮＢである。
【０００９】
ＧＮＳＳベースの同期場合、ｅＮＢはダウンリンクＰＳＳ（Ｐｒｉｍａｒｙ Ｓｙｎｃｈｒｏｎｉｓａｔｉｏｎ Ｓｉｇｎａｌ，プライマリ同期信号）/ＳＳＳ（Ｓｅｃｏｎｄａｒｙ Ｓｙｎｃｈｒｏｎｉｓａｔｉｏｎ Ｓｉｇｎａｌ，セカンダリー同期信号）により同期を提供することができるが、ｅＮＢが同期ソースとすれば、以下の問題点がある。
【００１０】
ｅＮＢがいつもＧＮＳＳまたはＧＮＳＳ−ｅｑｕｉｖａｌｅｎｔ信号を直接に受信できると確保できないため、この場合、ｅＮＢとＧＮＳＳ同期偏差が大きであるが、依然に同期ソースとすると、ネットワークカバレッジエリア内ノードらの同期をさせず、迅速に収束する。
【００１１】
ｅＮＢがＧＮＳＳまたはＧＮＳＳ−ｅｑｕｉｖａｌｅｎｔ信号を直接に受信できるとしても、パス伝播のため、ネットワークカバレッジエリア内の、カバレッジエリアの端にあるノードのようなノードは、ＧＮＳＳベースまたはＧＮＳＳ−ｅｑｕｉｖａｌｅｎｔベース同期のノードと比べ、同期誤差が大きい。
【００１２】
ｅＮＢ間のタイミング及び周波数偏差が大きい。
【００１３】
よって、従来技術の場合、ＵＥが同期ソースとする場合の同期案はまだ提起されていない。
【発明の概要】
【発明が解決しようとする課題】
【００１４】
本発明に係る実施例が同期方法及び装置を提供し、ＵＥが同期ソースである場合の同期案を決める。
【００１５】
本発明に係る実施例の同期方法は、
複数ノードの同期信号を受信した場合、前記複数ノードの同期プライオリティを決定するステップと、
前記複数ノードの同期プライオリティに基づき、１つノードの同期信号を選出して同期を行うステップと、を備える。
【００１６】
当該方法によれば、複数ノードの同期信号を受信した場合、前記複数ノードの同期プライオリティを決定し、前記複数ノードの同期プライオリティに基づき、１つノードの同期信号を選出して同期を行うことにより、ＵＥが同期ソースである場合の同期案を決定し、かつ、ＵＥの異なる同期プライオリティの設定により、同期精度が確保でき、シグナリングオーバーヘッドが小さくなり、高精度同期情報の伝送が達成できる。
【００１７】
好ましくは、前記複数ノードの同期プライオリティに基づき、１つノードの同期信号を選出して同期を行うステップは、
前記複数ノードの同期プライオリティが異なる場合、同期プライオリティ最大のノードの同期信号を選定して同期を行う。
【００１８】
好ましくは、前記同期プライオリティ最大のノードの同期信号の電力は所定の閾値より大きい。
【００１９】
好ましくは、前記複数ノードの同期プライオリティに基づき、１つノードの同期信号を選出して同期を行うステップは、
前記複数ノードの同期プライオリティが同様である場合、最強信号のノードの同期信号を選定して同期を行う。
【００２０】
好ましくは、各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードである。
【００２１】
好ましくは、前記方法は、
ＧＮＳＳの同期信号を受信した場合、前記ＧＮＳＳの同期信号を直接に用いて同期を行うステップと、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行うステップと、を備える。
【００２２】
好ましくは、前記方法は、
同期信号を受信できない場合、局部発振器を独立な同期ソースとするステップをさらに備える。
【００２３】
本発明に係る実施例の同期装置は、
複数ノードの同期信号を受信した場合、前記複数ノードの同期プライオリティを決定する第１ユニットと、
前記複数ノードの同期プライオリティに基づき、１つノードの同期信号を選出して同期を行う第２ユニットと、を備える。
【００２４】
好ましくは、前記第２ユニットは、前記複数ノードの同期プライオリティが異なる場合、同期プライオリティ最大のノードの同期信号を選定して同期を行う。
【００２５】
好ましくは、前記同期プライオリティ最大のノードの同期信号の電力は所定の閾値より大きい。
【００２６】
好ましくは、前記第２ユニットは、前記複数ノードの同期プライオリティが同様である場合、最強信号のノードの同期信号を選定して同期を行う。
【００２７】
好ましくは、各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードである。
【００２８】
好ましくは、前記第２ユニットは、ＧＮＳＳの同期信号を受信した場合、前記ＧＮＳＳの同期信号を直接に用いて同期を行い、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行う。
【００２９】
好ましくは、前記第２ユニットは、同期信号を受信できない場合、局部発振器を独立な同期ソースとする。
【００３０】
本発明に係る実施例の同期装置は、
プロセッサがメモリに格納されたプログラムを読み出し、
送受信機により複数ノードの同期信号を受信した場合、前記複数ノードの同期プライオリティを決定し、
前記複数ノードの同期プライオリティに基づき、１つノードの同期信号を選出して同期を行う。
【００３１】
好ましくは、前記プロセッサは、前記複数ノードの同期プライオリティが異なる場合、同期プライオリティ最大のノードの同期信号を選定して同期を行う。
【００３２】
好ましくは、前記同期プライオリティ最大のノードの同期信号の電力は所定の閾値より大きい。
【００３３】
好ましくは、前記プロセッサは、前記複数ノードの同期プライオリティが同様である場合、最強信号のノードの同期信号を選定して同期を行う。
【００３４】
好ましくは、各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードである。
【００３５】
好ましくは、前記プロセッサは、ＧＮＳＳの同期信号を受信した場合、前記ＧＮＳＳの同期信号を直接に用いて同期を行い、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行う。
【００３６】
好ましくは、前記プロセッサは、同期信号を受信できない場合、局部発振器を独立な同期ソースとする。
【図面の簡単な説明】
【００３７】
【図１】図１は本発明に係る実施例の同期方法フローチャートである。
【図２】図２は本発明に係る実施例のＧＮＳＳベースの同期場合のネットワークカバレッジエリア内/外ともにＧＮＳＳノードが有することを示す図である。
【図３】図３は本発明に係る実施例のＧＮＳＳベースの同期場合いのトンネルを示す図である。
【図４】図４は本発明に係る実施例の同期装置の構成図である。
【図５】図５は本発明に係る実施例の他の同期装置の構成図である。
【発明を実施するための形態】
【００３８】
本発明に係る実施例は、同期方法及び装置を提供し、ＵＥが同期ソースである場合の同期案を決定する。
【００３９】
ＬＴＥ Ｄ２Ｄのいおいて、ＵＥ（Ｕｓｅｒ Ｅｑｕｉｐｍｅｎｔ）は同期ソースとしないが、ＬＴＥ Ｖ２Ｘには、車両ノードがＧＮＳＳ（Ｇｌｏｂａｌ Ｎａｖｉｇａｔｉｏｎ Ｓａｔｅｌｌｉｔｅ Ｓｙｓｔｅｍ）またはＧＮＳＳ−ｅｑｕｉｖａｌｅｎｔ信号を直接に受信できるため、直接にＧＮＳＳ信号を取得する車両ノードは、同期ソースとしてＳＬＳＳ及び同期設定情報を伝送することができる。ＬＴＥ Ｖ２Ｘシステムにおいて、ｅＮＢは、ＧＮＳＳベースまたはＧＮＳＳ−ｅｑｕｉｖａｌｅｎｔベースの同期をおこなうか、または、ｅＮＢの同期を行うようにノードを制御する。本発明に係る実施例において、ｅＮＢがノードを制御して、ＧＮＳＳまたはＧＮＳＳ−ｅｑｕｉｖａｌｅｎｔ同期の同期プライオリティにより同期を行うことを説明する。
【００４０】
ｅＮＢがＧＮＳＳベースまたはＧＮＳＳ−ｅｑｕｉｖａｌｅｎｔベースの同期をおこなうように、ノードに指示する場合、ｅＮＢがいつもＧＮＳＳから信号を受信できるわけではないし、また、伝送遅延のため、ｅＮＢ同期のノードの間またはｅＮＢの間に同期偏差が生じる恐れがあり、よって、ｅＮＢはもう同期ソースとせず、ＧＮＳＳから信号を直接に取得できるノードのみを同期ソースとする。
【００４１】
ネットワークにおけるノードの同期精度の相違により、以下４種に分けられる。
【００４２】
場合１：ノードがＧＮＳＳまたはＧＮＳＳ−ｅｑｕｉｖａｌｅｎｔの信号を直接に取得し、同期精度が最大である。
【００４３】
場合２：ＧＮＳＳまたはＧＮＳＳ−ｅｑｕｉｖａｌｅｎｔの信号を直接に受信できず、ＧＮＳＳまたはＧＮＳＳ−ｅｑｕｉｖａｌｅｎｔの信号を直接に取得するノードを選定して同期リファレンスＵＥとし、これは、ＧＮＳＳまたはＧＮＳＳ−ｅｑｕｉｖａｌｅｎｔ信号が１ホップを介して受信ノードに到着することに相当する。ＧＮＳＳまたはＧＮＳＳ−ｅｑｕｉｖａｌｅｎｔ信号と比べ、同期精度と関連する２要素があり、即ち、１ホップの伝送誤差及び受信処理誤差である。
【００４４】
場合３：ＧＮＳＳまたはＧＮＳＳ−ｅｑｕｉｖａｌｅｎｔの信号を直接に受信できず、ＧＮＳＳまたはＧＮＳＳ−ｅｑｕｉｖａｌｅｎｔの信号を直接に取得するノードを選定して同期リファレンスＵＥとしておらず、ＧＮＳＳまたはＧＮＳＳ−ｅｑｕｉｖａｌｅｎｔの信号を直接に取得できない他のノードを選定して同期リファレンスＵＥとし、これは、ＧＮＳＳまたはＧＮＳＳ−ｅｑｕｉｖａｌｅｎｔ信号が２ホップを介して受信ノードに到着することに相当する。ＧＮＳＳまたはＧＮＳＳ−ｅｑｕｉｖａｌｅｎｔと比べ、同期精度は、同期精度と関連する２要素があり、即ち、マルチホップ伝送誤差及び受信処理誤差である。
【００４５】
場合４：ＧＮＳＳまたはＧＮＳＳ−ｅｑｕｉｖａｌｅｎｔの信号を直接に受信できず、いかなる有効な同期信号を受信できず、いかなるノードを選定して同期リファレンスＵＥとしておらず、前記ノードは独立な同期ソースとなる。同期精度は局部発振器精度と関連する。
【００４６】
同期偏差導致的時間面の不連続さを解消するため、以上の同期偏差場合に基づいて同期プライオリティを設定することが必要とあるが、あまりにも多くの同期プライオリティによって引き起こされるシグナリングオーバヘッドを考慮し、同期情報が複数のホップを介して送信されるときの累積エラーを考慮すると、同期エラーの除去、同期の精度の保証、シグナリングオーバーヘッドの低減のため、合理的なマルチホップ送信などの条件の間でトレードオフが必要である。上記の場合３及び４に対応する同期精度が低いため、１つのプライオリティにして取り扱う。
【００４７】
ＧＮＳＳベースまたはＧＮＳＳ−ｅｑｕｉｖａｌｅｎｔベースの同期の同期プライオリティは、プライオリティ順で以下とおりである。
【００４８】
第１プライオリティ（Ｐｒｉｏｒｉｔｙ １）：０ホップを介してＧＮＳＳまたはＧＮＳＳ−ｅｑｕｉｖａｌｅｎｔ信号が伝送される。
【００４９】
前記プライオリティのノードは、ＧＮＳＳまたはＧＮＳＳ−ｅｑｕｉｖａｌｅｎｔから直接に同期信号を取得し、前記ＧＮＳＳ−ｅｑｕｉｖａｌｅｎｔは、ＧＮＳＳシステムと類似する、絶対的な精度を提供できるナビゲーションシステムである。
【００５０】
第２プライオリティ（Ｐｒｉｏｒｉｔｙ ２）：１ホップを介してＧＮＳＳまたはＧＮＳＳ−ｅｑｕｉｖａｌｅｎｔ信号が伝送される。
【００５１】
前記プライオリティのノードは、ＧＮＳＳまたはＧＮＳＳ−ｅｑｕｉｖａｌｅｎｔから同期信号を直接に受信せず、ＧＮＳＳまたはＧＮＳＳ−ｅｑｕｉｖａｌｅｎｔから同期信号を受信したノードから同期信号を受信する。
【００５２】
第３プライオリティ（Ｐｒｉｏｒｉｔｙ ３）：他の場合。 
【００５３】
前記プライオリティのノードは、ＧＮＳＳまたはＧＮＳＳ−ｅｑｕｉｖａｌｅｎｔ信号を直接取得できず、Ｐｒｉｏｒｉｔｙ ２の端末により送信された有効な同期信号を受信できるＵＥに信号を送信する。
【００５４】
または、前記プライオリティのノードは、ＧＮＳＳまたはＧＮＳＳ−ｅｑｕｉｖａｌｅｎｔ信号を直接取得できず、また、Ｐｒｉｏｒｉｔｙ ３より高い有効な同期信号を受信できないが、Ｐｒｉｏｒｉｔｙ ３の端末により送信された有効な同期信号を受信できるＵＥに信号を送信する。
【００５５】
または、前記プライオリティのノードは、ＧＮＳＳまたはＧＮＳＳ−ｅｑｕｉｖａｌｅｎｔ信号を直接取得できず、いかなるＵＥからの同期信号を受信できなく、独立な同期ソースとなる。   ノードが複数の同期信号を受信した場合、リリース１２（Ｒ１２）Ｄ２Ｄ（ｄｅｖｉｃｅ ｔｏ ｄｅｖｉｃｅ）の同期リファレンスのＵＥ選定方法を参考して、同期プライオリティは、上述同期プライオリティに従う。
【００５６】
同様なプライオリティの同期信号の場合、最強信号を選定し、ＲＳＲＰ（ｒｅｆｅｒｅｎｃｅ Ｓｉｇｎａｌ Ｒｅｃｅｉｖｉｎｇ Ｐｏｗｅｒ，リファレンス信号受信電力）のＳ基準及び電力レベルに対するヒステリシスが満足され、前記Ｓ基準とは、信号電力閾値を満足するものである。  
【００５７】
異なるプライオリティの同期信号の場合、最高同期プライオリティのノードの同期信号を選定し、かつ、Ｓ基準を満足することが要求される。
【００５８】
以上のような設計により、ＬＴＥ Ｖ２ＸのＧＮＳＳベースの同期メカニズムにおいて、同期プライオリティを適宜に設定したため、同期精度が確保でき、シグナリングオーバーヘッドが小さくなり、２ホップを介して同期情報を高精度に伝送できるようになる。
【００５９】
よって、図１に示すように、本発明に係る実施例の同期方法は、以下のステップを備える。
【００６０】
Ｓ１０１において、複数ノードの同期信号を受信した場合、前記複数ノードの同期プライオリティを決定する。
【００６１】
ここで、前記ノードは、ＵＥであることができ、たとえば、ＬＴＥ Ｖ２Ｘの車両ノードなどである。
【００６２】
Ｓ１０２において、前記複数ノードの同期プライオリティに基づき、１つノードの同期信号を選出して同期を行う。
【００６３】
当該方法によれば、複数ノードの同期信号を受信した場合、前記複数ノードの同期プライオリティを決定する，前記複数ノードの同期プライオリティに基づき、１つノードの同期信号を選出して同期を行うことにより、ＵＥが同期ソースである場合の同期案を決定する。また、ＵＥの異なる同期プライオリティの設定により、同期精度が確保でき、シグナリングオーバーヘッドが小さくなり、高精度同期情報の伝送が達成できる。
【００６４】
好ましくは、前記複数ノードの同期プライオリティに基づき、１つノードの同期信号を選出して同期を行うことは、具体的に、前記複数ノードの同期プライオリティが異なる場合、同期プライオリティ最大のノードの同期信号を選定して同期を行う。
【００６５】
好ましくは、前記同期プライオリティ最大のノードの同期信号の電力は所定の閾値より大きい。
【００６６】
ここで、前記閾値は、実際のニーズに応じて定めることができ、本発明に係る実施例にはこれについて限定しない。
【００６７】
好ましくは、前記複数ノードの同期プライオリティに基づき、１つノードの同期信号を選出して同期を行うことは、具体的に、前記複数ノードの同期プライオリティが同様である場合、最強信号のノードの同期信号を選定して同期を行う。
【００６８】
好ましくは、各々ノードの同期プライオリティが以下プライオリティのうちの１つである。
【００６９】
第１プライオリティ：前記第１プライオリティのノードは、ＧＮＳＳまたはＧＮＳＳ−ｅｑｕｉｖａｌｅｎｔから同期信号を直接に取得するノードである。
【００７０】
第２プライオリティ：前記第２プライオリティのノードは、前記第１プライオリティのノードから同期信号を取得するノードである。
【００７１】
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードである。
【００７２】
好ましくは、前記方法において、ＧＮＳＳの同期信号を受信した場合、前記ＧＮＳＳの同期信号を直接に用いて同期を行う。
【００７３】
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行う。
【００７４】
好ましくは、前記方法において、同期信号を受信できない場合、局部発振器を独立な同期ソースとする。
【００７５】
以下、２つの実施例を挙げて説明する。
【００７６】
<実施例１>  ネットワークカバレッジエリア内のノードとネットワークカバレッジエリア外のノードともにＧＮＳＳノードが存在する場合。
【００７７】
図２に示すように、ネットワークカバレッジエリア内とネットワークカバレッジエリア外にともにＧＮＳＳノードがある場合、同期プライオリティの設計は上述の同期プライオリティ順に従う。
【００７８】
具体的に、カバレッジエリア内のＰｒｉｏｒｉｔｙ １ノードＡのプライオリティはカバレッジエリア内のＰｒｉｏｒｉｔｙ ２のノードＢより高い、カバレッジエリア内のＰｒｉｏｒｉｔｙ ２のノードＢのプライオリティがカバレッジエリア内のＰｒｉｏｒｉｔｙ ３ノードＣより高くて、同期情報は、カバレッジエリア内のＰｒｉｏｒｉｔｙ １ノードＡから、カバレッジエリア内のＰｒｉｏｒｉｔｙ ２のノードＢを経由して、カバレッジエリア内のＰｒｉｏｒｉｔｙ３のノードＣに転送される。
【００７９】
カバレッジエリア外のＰｒｉｏｒｉｔｙ １ノードＥのプライオリティがカバレッジエリア外のＰｒｉｏｒｉｔｙ ２のノードＦより高い、カバレッジエリア外のＰｒｉｏｒｉｔｙ ２のノードＦのプライオリティがカバレッジエリア外のＰｒｉｏｒｉｔｙ ３ノードＤ及びノードＧより高くて、同期情報は、カバレッジエリア外のＰｒｉｏｒｉｔｙ １ノードＥからカバレッジエリア外のＰｒｉｏｒｉｔｙ ２のノードＦを経由して、カバレッジエリア外のＰｒｉｏｒｉｔｙ３のノードＤ及びノードＧに転送される。
【００８０】
ノードがいかなる同期情報を受信できない場合、独立な同期ソースとなり、同期プライオリティはＰｒｉｏｒｉｔｙ３である。
【００８１】
カバレッジエリアの一部ノードＤがカバレッジエリア内のＰｒｉｏｒｉｔｙ３のノードＣ及びカバレッジエリア外のＰｒｉｏｒｉｔｙ ２のノードＦの同期情報を受信した場合、カバレッジエリア外のＰｒｉｏｒｉｔｙ ２のノードＦのプライオリティがカバレッジエリア内のＰｒｉｏｒｉｔｙ ３ノードＣより高くて、カバレッジエリアの一部ノードがカバレッジエリア外のＰｒｉｏｒｉｔｙ ２のノードＦと同期し、同期プライオリティは、Ｐｒｉｏｒｉｔｙ３である。
【００８２】
同様に、カバレッジエリア外のＰｒｉｏｒｉｔｙ３のノードＧがカバレッジエリアの一部Ｐｒｉｏｒｉｔｙ３のノードＤ、独立な同期ソースＰｒｉｏｒｉｔｙ３のノードＨ及びカバレッジエリア外のＰｒｉｏｒｉｔｙ ２のノードＦの同期情報を受信した場合、カバレッジエリア外のＰｒｉｏｒｉｔｙ ２のノードＦと同期し、同期プライオリティは、Ｐｒｉｏｒｉｔｙ３である。
【００８３】
独立な同期ソースノードＨと同期するカバレッジエリア外のノードＩの場合、同期プライオリティはＰｒｉｏｒｉｔｙ３である。
【００８４】
<実施例２>ＧＮＳＳベースの同期、トンネルの場合。
【００８５】
トンネルの場合、図３に示すように、同期プライオリティは、上記同期プライオリティ順の設計に従う。
【００８６】
カバレッジエリア内のＰｒｉｏｒｉｔｙ １ノードＡのプライオリティはカバレッジエリア内のＰｒｉｏｒｉｔｙ ２のノードＢより高い、カバレッジエリア内のＰｒｉｏｒｉｔｙ ２のノードＢのプライオリティがカバレッジエリア内のＰｒｉｏｒｉｔｙ ３ノードＣより高くて、同期情報は、カバレッジエリア内のＰｒｉｏｒｉｔｙ １ノードＡからカバレッジエリア内のＰｒｉｏｒｉｔｙ ２のノードＢを介して、カバレッジエリア内のＰｒｉｏｒｉｔｙ３のノードＣに転送される。
【００８７】
ノードが左側のカバレッジエリア内から、トンネルを沿って右側へ移動すると仮定する。
【００８８】
トンネルへ入った後、カバレッジエリアの一部ノードＤがカバレッジエリア内のＰｒｉｏｒｉｔｙ３のノードＣ同期情報を受信した場合、カバレッジエリアの一部ノードＤ及び、バレッジエリア内トンネルの左側入り口に位置するＰｒｉｏｒｉｔｙ ３ノードＣの同期プライオリティは、Ｐｒｉｏｒｉｔｙ３である。
【００８９】
トンネル内にｅＮＢカバレッジエリアがないし、ＧＮＳＳカバレッジエリアもない恐れがあり、この場合、ノード間の同期情報のみに基づいて自己同期を行うしかできず、また、いずれの同期プライオリティもＰｒｉｏｒｉｔｙ３である。
【００９０】
ノードが引き続き右へ移動する場合、トンネル内のＰｒｉｏｒｉｔｙ ３ノードＥ及びネットワークカバレッジエリア内のＰｒｉｏｒｉｔｙ３のノードＧの同期情報を受信する場合、当該受信ノードがカバレッジエリアの一部ノードＦとなり、自己同期原則で同期を行い、同期プライオリティはＰｒｉｏｒｉｔｙ３である。
【００９１】
ノードが引き続き右へ移動する場合、トンネル内のＰｒｉｏｒｉｔｙ ３ノードＦ及びネットワークカバレッジエリア内のＰｒｉｏｒｉｔｙ２ノードＨの同期情報を受信刷る場合、ネットワークカバレッジエリア内のＰｒｉｏｒｉｔｙ２ノードＨプライオリティがトンネル内のＰｒｉｏｒｉｔｙ ３ノードＦより高く、当該受信ノード同期プライオリティはＰｒｉｏｒｉｔｙ３である。
【００９２】
上述の方法と対応して、図４に示された本発明に係る実施例の同期装置は、複数ノードの同期信号を受信した場合、前記複数ノードの同期プライオリティを決定する第１ユニット１１と、前記複数ノードの同期プライオリティに基づき、１つノードの同期信号を選出して同期を行う第２ユニット１２とを備える。
【００９３】
好ましくは、前記第２ユニットは、前記複数ノードの同期プライオリティが異なる場合、同期プライオリティ最大のノードの同期信号を選定して同期を行う。
【００９４】
好ましくは、前記同期プライオリティ最大のノードの同期信号の電力は所定の閾値より大きい。
【００９５】
好ましくは、前記第２ユニットは、前記複数ノードの同期プライオリティが同様である場合、最強信号のノードの同期信号を選定して同期を行う。
【００９６】
好ましくは、各々ノードの同期プライオリティが以下プライオリティのうちの１つであり、第１プライオリティ：前記第１プライオリティのノードは、ＧＮＳＳまたはＧＮＳＳ−ｅｑｕｉｖａｌｅｎｔから同期信号を直接に取得するノードである。
【００９７】
第２プライオリティ：前記第２プライオリティのノードは、前記第１プライオリティのノードから同期信号を取得するノードである。
【００９８】
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードである。
【００９９】
好ましくは、前記第２ユニットは、
ＧＮＳＳの同期信号を受信した場合、前記ＧＮＳＳの同期信号を直接に用いて同期を行うか、または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行う。
【０１００】
好ましくは、前記第２ユニットは、同期信号を受信できない場合、局部発振器を独立な同期ソースとする。
【０１０１】
図５に示す本発明に係る実施例の他の同期装置は、メモリ６２０に格納ｓれたプログラムを読み出すプロセッサ６００と、プロセッサ６００の制御によりデータを送受信する送受信機６１０とを備える。
【０１０２】
前記プロセッサ６００は、送受信機６１０により複数ノードの同期信号を受信した場合、前記複数ノードの同期プライオリティを決定する。前記複数ノードの同期プライオリティに基づき、１つノードの同期信号を選出して同期を行う。
【０１０３】
好ましくは、前記プロセッサ６００が前記複数ノードの同期プライオリティに基づき、１つノードの同期信号を選出して同期を行う場合、具体的に、前記複数ノードの同期プライオリティが異なる場合、同期プライオリティ最大のノードの同期信号を選定して同期を行う。
【０１０４】
好ましくは、前記同期プライオリティ最大のノードの同期信号の電力は所定の閾値より大きい。
【０１０５】
好ましくは、前記プロセッサ６００が前記複数ノードの同期プライオリティに基づき、１つノードの同期信号を選出して同期を行う場合、具体的に、前記複数ノードの同期プライオリティが同様である場合、最強信号のノードの同期信号を選定して同期を行う。
【０１０６】
好ましくは、各々ノードの同期プライオリティが以下プライオリティのうちの１つである。
【０１０７】
第１プライオリティ：前記第１プライオリティのノードは、ＧＮＳＳまたはＧＮＳＳ−ｅｑｕｉｖａｌｅｎｔから同期信号を直接に取得するノードである。
【０１０８】
第２プライオリティ：前記第２プライオリティのノードは、前記第１プライオリティのノードから同期信号を取得するノードである。
【０１０９】
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードである。
【０１１０】
好ましくは、前記プロセッサ６００は、ＧＮＳＳの同期信号を受信した場合、前記ＧＮＳＳの同期信号を直接に用いて同期を行う。
【０１１１】
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行う。
【０１１２】
好ましくは、前記プロセッサ６００は、同期信号を受信できない場合、局部発振器を独立な同期ソースとする。
【０１１３】
図６において、バス・アーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バス・アーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１１４】
プロセッサ６００は、バズ・アーキテクチャ及び通常の処理を監視し、メモリ６２０は、プロセッサ６００が動作する際に利用するデータを記憶することができる。
【０１１５】
プロセッサ６００は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ Ｐｒｏｇｒａｍｍａｂｌｅ Ｌｏｇｉｃ Ｄｅｖｉｃｅ）である。
【０１１６】
よって、本発明に係る実施例において、ＧＮＳＳまたはＧＮＳＳ−ｅｑｕｉｖａｌｅｎｔベース場合の同期プライオリティは、プライオリティの高低順に従う。
【０１１７】
Ｐｒｉｏｒｉｔｙ １：０ホップを介してＧＮＳＳ信号を伝送する。当該プライオリティのノードは、ＧＮＳＳまたはＧＮＳＳ−ｅｑｕｉｖａｌｅｎｔから直接に同期信号を取得しる。
【０１１８】
Ｐｒｉｏｒｉｔｙ ２：１ホップを介して、ＧＮＳＳ信号を伝送する。当該プライオリティのノードは、ＧＮＳＳまたはＧＮＳＳ−ｅｑｕｉｖａｌｅｎｔから直接に同期信号を取得しないが、ＧＮＳＳまたはＧＮＳＳ−ｅｑｕｉｖａｌｅｎｔから同期信号を受信したノードより同期される。
【０１１９】
Ｐｒｉｏｒｉｔｙ ３：他の場合。当該プライオリティのノードは、ＧＮＳＳまたはＧＮＳＳ−ｅｑｕｉｖａｌｅｎｔの信号を直接に受信することができず、Ｐｒｉｏｒｉｔｙ ２のＵＥから有効な同期信号を受信できるＵＥである。また、当該プライオリティのノードは、ＧＮＳＳまたはＧＮＳＳ−ｅｑｕｉｖａｌｅｎｔの信号を直接に受信することができず、Ｐｒｉｏｒｉｔｙ ３より高いのＵＥからも有効な同期信号を受信できないが、Ｐｒｉｏｒｉｔｙ ３のＵＥから有効な同期信号を受信できるＵＥである。または、当該プライオリティのノードは、ＧＮＳＳまたはＧＮＳＳ−ｅｑｕｉｖａｌｅｎｔの信号を直接に受信することができず、いかなるＵＥからも有効な同期信号を受信しない、独立な同期ソースである。
【０１２０】
ＧＮＳＳまたはＧＮＳＳ−ｅｑｕｉｖａｌｅｎｔ，いかなるＵＥからの同期信号を受信できなく、独立な同期ソースとなる。
【０１２１】
本発明に係る実施例は、ＬＴＥ Ｖ２ＸシステムにおけるＧＮＳＳベースまたはＧＮＳＳ−ｅｑｕｉｖａｌｅｎｔベースの同期プライオリティの設定方法を提供し、支持ＬＴＥ Ｖ２Ｘシステムにおいて、異なる精度の同期プライオリティの設定をサポートする。ＬＴＥ Ｖ２ＸにおけるＧＮＳＳベースまたはＧＮＳＳ−ｅｑｕｉｖａｌｅｎｔベースの同期メカニズムにおいて、同期プライオリティを適宜に設定することにより、同期精度が確保でき、シグナリングオーバーヘッドが小さくなり、高精度の同期情報を適宜に伝送することができる。
【０１２２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。また、当該製品はコンピュータ使用可能なプログラムコードを含むコンピュータ使用可能な記憶媒体（ディスク記憶装置と光学記憶装置等を含むがそれとは限らない）において実施する。
【０１２３】
以上は。本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１２４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１２５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０１２６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０１２７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１２８】
本出願は、２０１６年１月２９日に中国特許局に提出し、出願番号が２０１６１００６６５２８.８であり、発明名称が「同期方法及び装置」との中国特許出願を基礎とする優先権を主張し、その開示の総てをここに取り込む。
【図１】
2019505127.tif 000003
【図２】
2019505127.tif 000004
【図３】
2019505127.tif 000005
【図４】
2019505127.tif 000006
【図５】
2019505127.tif 000007
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
複数ノードの同期信号を受信した場合、前記複数ノードの同期プライオリティを決定するステップと、
前記複数ノードの同期プライオリティに基づき、１つノードの同期信号を選出して同期を行うステップとを備えることを特徴とする同期方法。
【請求項２】
前記複数ノードの同期プライオリティに基づき、１つノードの同期信号を選出して同期を行うステップは、
前記複数ノードの同期プライオリティが異なる場合、同期プライオリティ最大のノードの同期信号を選定して同期を行うことを特徴とする請求項１に記載の同期方法。
【請求項３】
前記同期プライオリティ最大のノードの同期信号の電力は所定の閾値より大きいことを特徴とする請求項２に記載の同期方法。
【請求項４】
前記複数ノードの同期プライオリティに基づき、１つノードの同期信号を選出して同期を行うステップは、
前記複数ノードの同期プライオリティが同様である場合、最強信号のノードの同期信号を選定して同期を行うことを特徴とする請求項１に記載の同期方法。
【請求項５】
各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードであることを特徴とする請求項１に記載の同期方法。
【請求項６】
ＧＮＳＳの同期信号を受信した場合、前記ＧＮＳＳの同期信号を直接に用いて同期を行うステップと、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行うステップとをさらに備えることを特徴とする請求項１に記載の同期方法。
【請求項７】
同期信号を受信できない場合、局部発振器を独立な同期ソースとすることを特徴とする請求項１から６までのいずれか１項に記載の同期方法。
【請求項８】
複数ノードの同期信号を受信した場合、前記複数ノードの同期プライオリティを決定する第１ユニットと、
前記複数ノードの同期プライオリティに基づき、１つノードの同期信号を選出して同期を行う第２ユニットとを備えることを特徴とする同期装置。
【請求項９】
前記第２ユニットは、
前記複数ノードの同期プライオリティが異なる場合、同期プライオリティ最大のノードの同期信号を選定して同期を行うことを特徴とする請求項８に記載の同期装置。
【請求項１０】
前記同期プライオリティ最大のノードの同期信号の電力は所定の閾値より大きいことを特徴とする請求項９に記載の同期装置。
【請求項１１】
前記第２ユニットは、前記複数ノードの同期プライオリティが同様である場合、最強信号のノードの同期信号を選定して同期を行うことを特徴とする請求項８に記載の同期装置。
【請求項１２】
各々ノードの同期プライオリティが以下プライオリティのうちの１つであり、
第１プライオリティ：前記第１プライオリティのノードは、ＧＮＳＳまたはＧＮＳＳ−ｅｑｕｉｖａｌｅｎｔから同期信号を直接に取得するノードであり、
第２プライオリティ：前記第２プライオリティのノードは、前記第１プライオリティのノードから同期信号を取得するノードであり、
第３プライオリティ：前記第３プライオリティのノードは、前記第２プライオリティのノードから同期信号を取得するノードであるか、または、前記第３プライオリティのノードから同期信号を取得するノードであるか、または、独立的に同期ソースとするノードであることを特徴とする請求項８に記載の同期装置。
【請求項１３】
前記第２ユニットは、
ＧＮＳＳの同期信号を受信した場合、前記ＧＮＳＳの同期信号を直接に用いて同期を行い、
または、ＧＮＳＳ−ｅｑｕｉｖａｌｅｎｔの同期信号を受信した場合、前記ＧＮＳＳ−ｅｑｕｉｖａｌｅｎｔの同期信号を直接に用いて同期を行うことを特徴とする請求項８に記載の同期装置。
【請求項１４】
前記第２ユニットは、
同期信号を受信できない場合、局部発振器を独立な同期ソースとすることを特徴とする請求項８から１３までのいずれか１項に記載の同期装置。
【国際調査報告】
2019505127.tif 000008
2019505127.tif 000009
2019505127.tif 000010
2019505127.tif 000011